(57)【要約】  【課題】  冬の冷気を，夏の暑さから家畜を守るために有効に利用する。  【解決手段】  上記課題は，倉庫(1)と，家畜舎(2)と，前記倉庫(1)と前記家畜舎(2)とを連結する配管(3)と，前記配管(3)を通して前記家畜舎(2)へ風を送るため，又は外気を前記倉庫(1)へ入れるための送風機構(4)を具備し；前記家畜舎(2)は，前記家畜舎内の温度を計測するための温度計(5)を具備し；更に，前記送風機構(4)および前記温度計(5)と電気信号の授受ができるように接続された制御機構(6)を具備し，前記制御機構(6)は，前記温度計(5)が計測した温度が設定温度以上になった場合に，前記送風機構(4)が送風を行うように制御する；家畜舎冷却システムにより解決される。  【選択図】  図１
2007183006.tif 000002
【特許請求の範囲】
【請求項１】
倉庫(1)と，家畜舎(2)と，前記倉庫(1)と前記家畜舎(2)とを連結する配管(3)と，前記配管(3)を通して前記家畜舎(2)へ風を送るため，又は外気を前記倉庫(1)へ入れるための送風機構(4)を具備し；
前記家畜舎(2)は，前記家畜舎内の温度を計測するための温度計(5)を具備し；
更に，前記送風機構(4)および前記温度計(5)と電気信号の授受ができるように接続された制御機構(6)を具備し，前記制御機構(6)は，前記温度計(5)が計測した温度が設定温度以上になった場合に，前記送風機構(4)が送風を行うように制御する；
家畜舎冷却システム。
【請求項２】
前記倉庫(1)は，サイロである請求項1に記載の家畜舎冷却システム。
【請求項３】
前記倉庫(1)は，
倉庫内部に蓄熱材を具備する，
請求項1に記載の家畜舎冷却システム。
【請求項４】
前記倉庫(1)は，
倉庫内部の壁の少なくとも一部に断熱処理が施されている
請求項1に記載の家畜舎冷却システム。
【請求項５】
前記倉庫(1)は，その外壁の少なくとも一部に風力発電装置(7)，又は太陽光発電装置(8)を備えるか；
または，
前記家畜舎は，風力発電装置(7)，または太陽光発電装置(8)を備える，
請求項1に記載の家畜舎冷却システム。
【請求項６】
前記倉庫(1)は，その外壁の少なくとも一部に風力発電装置(7)，又は太陽光発電装置(8)を備えるか，
または前記家畜舎は，風力発電装置(7)，又は太陽光発電装置(8)を備え；
さらに，前記発電装置が発電した電力を蓄えるための蓄電装置を具備する，
請求項1に記載の家畜舎冷却システム。
【請求項７】
前記配管(3)は，
家畜舎内まで延長されており，前記配管(3)の先端は，家畜が餌を食べる位置に向けられる
請求項1に記載の家畜舎冷却システム。
【請求項８】
前記家畜舎が，
牛舎である
請求項1に記載の家畜舎冷却システム。
【請求項９】
倉庫(1)と，家畜舎(2)と，前記倉庫(1)と前記家畜舎(2)とを連結する配管(3)と，前記配管(3)を通して前記家畜舎(2)へ風を送るため，又は外気を前記倉庫へ入れるための送風機構(4)，および倉庫内部に蓄熱材を具備し，前記家畜舎(2)は，前記家畜舎内の温度を計測するための温度計(5)を具備し；更に，前記送風機構(4)および前記温度計(5)と電気信号の授受ができるように接続された制御機構(6)を具備し，前記制御機構(6)は，前記温度計(5)が計測した温度が設定温度以上になった場合に，前記送風機構(4)が送風を行うように制御する家畜舎冷却システムを用い，
冬期間に，寒冷外気を倉庫(1)内に導入し，前記蓄熱材を冷却し，
夏期間に，前記制御機構の制御のもとに，前記送風機構を動作させ，冷却された蓄熱材による倉庫(1)内の冷気を前記家畜舎(2)内に送風することにより，家畜舎内を冷却する
家畜舎の冷却方法。
【請求項１０】
前記蓄熱材は，複数の容器に入れられており，
冬期間に，「寒冷外気を倉庫(1)内に導入し，前記蓄熱材を冷却」する代わりに，「寒冷外気を倉庫(1)内に導入し，前記蓄熱材を冷却するともに，前記蓄熱材が入れられる複数の容器のすき間に雪が充填されるか，又は前記複数の容器を覆うように雪が被せられる」
請求項９に記載の家畜舎の冷却方法。
【発明の詳細な説明】
【技術分野】
【０００１】
本発明は，冬期間の冷気を有効に蓄えて，夏期間の家畜舎の冷却に利用できる家畜舎冷却システムおよび家畜舎の冷却方法などに関する。
【背景技術】
【０００２】
夏期間の暑さは，たとえば，乳牛にとって，乳量が低下するという問題や，受胎率が低下するなどの問題をもたらす。そのため，従来から，牛舎内の暑さを緩和するためにいわゆるエアコンなどが利用されている。エアコンは，牛舎内の空気を熱交換器に導入して，冷風を得るものである。したがって，牛舎内の糞尿から発生する腐食性ガスをも熱交換器に導入するので，熱交換器が腐食するという問題がある。更に，エアコンは，多くの電力を消費するので，維持コストが高くなるという問題がある。
【０００３】
また，夏の暑さを防止するため，大型扇風機による送風や，牛の体に水を噴霧するなどして温度を冷却することが行われていた。しかし，十分な冷却効果を得ることができないという問題がある。更に，十分な風量を得るためには，多くの電力を消費するので，維持コストが高くなるという問題がある。
【発明の開示】
【発明が解決しようとする課題】
【０００４】
本発明は，自然エネルギーを有効に活用し，冬期間の冷気を有効に蓄えて，夏期間の家畜舎の冷却に利用できる家畜舎冷却システムおよび家畜舎の冷却方法を提供することを目的とする。
【課題を解決するための手段】
【０００５】
本発明は，基本的には，冬期間（例えば，12月1日〜2月末日）の寒冷期の寒さを雪や蓄熱材に蓄えた冷気として倉庫内に蓄えて，その冷気を夏期間（例えば，6月1日〜9月1日；特に初夏に家畜舎を冷却することに使えば，自然エネルギーを有効に活用して，低コストで効率的に家畜舎を冷却できるという知見に基づくものである。
【０００６】
本発明の第１の側面に係る発明は，倉庫(1)と，家畜舎(2)と，前記倉庫(1)と前記家畜舎(2)とを連結する配管(3)と，前記配管(3)を通して前記家畜舎(2)へ風を送るため，又は外気を前記倉庫(1)へ入れるための送風機構(4)を具備し；前記家畜舎(2)は，前記家畜舎内の温度を計測するための温度計(5)を具備し；更に，前記送風機構(4)および前記温度計(5)と電気信号の授受ができるように接続された制御機構(6)を具備し，前記制御機構(6)は，前記温度計(5)が計測した温度が設定温度以上になった場合に，前記送風機構(4)が送風を行うように制御する；家畜舎冷却システムである。
【０００７】
本発明の第２の側面に係る発明は，倉庫(1)と，家畜舎(2)と，前記倉庫(1)と前記家畜舎(2)とを連結する配管(3)と，前記配管(3)を通して前記家畜舎(2)へ風を送るため，又は外気を前記倉庫(1)へ入れるための送風機構(4)，および倉庫内部に蓄熱材を具備し，前記家畜舎(2)は，前記家畜舎内の温度を計測するための温度計(5)を具備し；更に，前記送風機構(4)および前記温度計(5)と電気信号の授受ができるように接続された制御機構(6)を具備し，前記制御機構(6)は，前記温度計(5)が計測した温度が設定温度以上になった場合に，前記送風機構(4)が送風を行うように制御する家畜舎冷却システムを用い，冬期間に，寒冷外気を倉庫(1)内に導入し，前記蓄熱材を冷却し，夏期間に，前記制御機構の制御のもとに，前記送風機構を動作させ，冷却された蓄熱材による倉庫(1)内の冷気を前記家畜舎(2)内に送風することにより，家畜舎内を冷却する家畜舎の冷却方法である。
【発明の効果】
【０００８】
本発明によれば，倉庫内に冬期間の冷気を蓄えることができるので，自然エネルギーを有効に活用し，冬期間の冷気を有効に蓄えて，夏期間の家畜舎の冷却に利用できる家畜舎冷却システムおよび家畜舎の冷却方法を提供できる。  
【発明を実施するための最良の形態】
【０００９】
[家畜舎冷却システム]
以下，図面を用いて本発明の家畜舎冷却システムを説明する。図１は，本発明の家畜舎冷却システムのブロック図である。図１に示されるように，本発明の家畜舎冷却システムは基本的には，倉庫(1)と，家畜舎(2)と，前記倉庫(1)と前記家畜舎(2)とを連結する配管(3)と，前記配管(3)を通して前記家畜舎(2)へ風を送るため，又は外気を前記倉庫へ入れるための送風機構(4)を具備し；前記家畜舎(2)は，前記家畜舎内の温度を計測するための温度計(5)を具備し；更に，前記送風機構(4)および前記温度計(5)と電気信号の授受ができるように接続された制御機構(6)を具備し，前記制御機構(6)は，前記温度計(5)が計測した温度が設定温度以上になった場合に，前記送風機構(4)が送風を行うように制御する；家畜舎冷却システムである。
【００１０】
[倉庫]
本発明の家畜舎冷却システムに用いられる倉庫は，その内部に所定容積の空間があればよく，そのような倉庫として，公知の倉庫を適宜利用できる。具体的な倉庫として，タワーサイロ，バンカーサイロ，角型落とし込みサイロ，スタックサイロなどの公知のサイロ，車庫，小屋，納戸，民家などがあげられるが，これらのなかではサイロが好ましく，サイロの中でもタワーサイロが好ましい。タワーサイロは，一般的には，中空円柱状の胴部と，胴部の上に設けられたドーム状の屋根部とを有する。なお，胴部が中空の四角柱状など中空の多角柱状であってもよい。ドームの屋根部は，開閉機構を有しているものが好ましい。屋根部に開閉機構があれば，冬の間の寒気を効果的に倉庫内部に取り込むことができ，雪が降る際に屋根を開いて倉庫内に雪を取り込むことができる。また屋根を閉じることで，断熱性を高めて蓄熱剤が加熱される事態を効果的に防止できる。
【００１１】
倉庫の容積は，乳牛などの家畜の数などに応じて適宜調整すればよい。具体的な，倉庫の高さとして，３ｍ以上，または５ｍ以上があげられ，より具体的には３ｍ〜３０ｍがあげられ，５ｍ〜２０ｍが好ましい。また，倉庫内部の底面の面積として，１０ｍ２〜１００ｍ２があげられ，２０ｍ２〜５０ｍ２が好ましく，２０ｍ２以上でもよい。
【００１２】
倉庫(1)は，倉庫内部に蓄熱材を具備するものが好ましい。倉庫内部に蓄熱材があれば，寒冷期に蓄熱材に冷気をためることができるからである。蓄熱材として，水，ゲル状冷却材，食塩水などがあげられる。なお，蓄熱材は，容器に入れられることが好ましい。そして，夏期間に，蓄熱材としての氷が完全にとけた後には，容器を除去すればよい。また，容器を除去して通常のサイロとして利用してもよい。なお，蓄熱材として，水又は所定の物質の水溶液を用いた場合，固化することにより体積が膨張する。よって，蓄熱材として，水又は水溶液を用いた場合，体積が膨張することによる容積変化を吸収できるものが好ましい。このような観点から，容器の材質として，プラスチックが好ましい。また，容器を積み上げた際に，積み上げた容器が倒れる事態を防止するため，容器は深さが浅いものが好ましい。具体的には，容器の底面が四角形の場合，底面の各辺の平均値より，容器の深さが小さい物が好ましい。
【００１３】
倉庫(1)は，好ましくは，倉庫内部の壁の少なくとも一部に断熱処理が施されている。断熱方法として，日射による熱損失を防ぐために，倉庫の外壁の日射を防ぐアルミニウムシートなどの断熱シートで倉庫の外壁を覆う方法；光を反射する塗料を倉庫の外壁に塗布する方法；倉庫の内部及び外部の壁をウレタンで取り囲む方法；倉庫の内壁の少なくとも一部に断熱材層を設ける方法などがあげられる。
【００１４】
断熱材として，発泡ウレタン，発泡スチロール，グラスウール，スタイロフォームなどの一般建築物に用いられる公知の断熱材や，公知の緩衝材，プラスチック破砕物，籾殻やわらなどの農業廃棄物や，シュレッダーダストなどの一般廃棄物などがあげられ，これらの中ではウレタン，緩衝材または廃棄物類のいずれか１種又は２種以上を併用したものが好ましい。断熱材層は，好ましくは倉庫の内部及び外部の壁全面及び全床面に設けられるが，倉庫の内壁全体でもよく，倉庫の胴部の壁全体に設けられても良い。例えば，ポリウレタン，ポリエチレン，フェノール樹脂，発泡スチレン，グラスウール，セルロースファイバー，ロックウォールなどを１種又は２種以上組み合わせて用いることができる。より具体的には，（１）例えば特許３２９２８９１号公報に記載のポリウレタン断熱材，特許３２４２０９０号公報に記載のポリウレタンフォーム断熱材，特許３２７３６８５号公報に記載のポリスチレン系樹脂発泡断熱材，ポリエチレン系樹脂を高発泡させて得られる断熱材（旭化成の断熱材「サニーライト」（登録商標）など），フェノールフォームに面材としてポリエステル不織紙を用いたもの（旭化成の断熱材「ネオマフォーム」（登録商標）など）などの発泡プラスティック系断熱材；（２）特許３３９０１８２号公報に記載された炭素繊維系成形断熱材，特公平６−５３６２６号公報に記載のジルコニア質複合耐火断熱材，特公平８−００５７３３号公報に記載の無機質系断熱材，特許２７５３８８８号公報に記載の吹込用グラスウール断熱材などのグラスウール系断熱材；（３）例えば，特公平７−００４９１４号公報に記載のセルロースファイバー系の断熱材；（４）ロックウォール系断熱材などがあげられ，これらのうちひとつ又は２つ以上を適宜採用することができる。そして，断熱部材の厚さは，その素材にもよるが，２０ｃｍ以上があげられ，通常１ｍｍ〜１ｍである。
【００１５】
倉庫(1)は，好ましくは，その外壁の少なくとも一部に風力発電装置(7)，又は太陽光発電装置(8)を備える。また，倉庫は，その外壁の少なくとも一部に風力発電装置，又は太陽光発電装置を備え；さらに，前記発電装置が発電した電力を蓄えるための蓄電装置を具備するものであってもよい。この風力発電装置，太陽光発電装置，および蓄電装置として，公知の風力発電装置，太陽光発電装置，および蓄電装置を適宜用いることができる。このような風力発電装置，太陽光発電装置，および蓄電装置を用いることで，自然エネルギーを有効に活用できる。なお，風力発電装置又は太陽光発電装置で発電された電力，および蓄電装置に蓄えられた電力は，主に送風機構によって消費されるが，さらに制御機構によって消費されるようにされてもよい。なお，家畜舎が，風力発電装置(7)，または太陽光発電装置(8)を備えるものであってもよいし，倉庫及び家畜舎が，風力発電装置(7)，または太陽光発電装置(8)を備えるものであってもよい。
【００１６】
風力発電装置として，風力により風車のプロペラを回転させ，そのプロペラが回転するとともに発電機本体が回転し，これにより交流電力を得るものがあげられる。より具体的な風力発電装置として，プロペラ型（水平軸）風力発電機，ジャイロミル形（垂直軸型）風車などがある。プロペラ型（水平軸）風力発電機は，風向を感知し風車先端部が風向位置までプロペラ回転部を誘導させなければ十分な発電を得ることが出来ず，風向が変化するたびにヨーイングを繰り返す制御方式のため風向変動のある地域では発電のロスが発生し，発電効率が低下してしまう。また，風向が安定していても乱気流が発生することにより風向風速の変動によりピッチ変動が追従できなくなり，そのため安全性を確保するために緊急停止する機能が必要となる。しかし，ジャイロミル形（垂直軸型）風車の場合，従来のプロペラ形（水平軸）風力発電機とは異なり，回転軸を垂直に設置しており，風車翼も主軸を中心に２枚から６枚の翼で構成されてあるため，変動の激しい受風時にも翼のピッチ変動やヨーイングの必要無しに，全ての方向よりの受風に瞬時に発電可能である。また，省スペースでの設置可能であり，無指向性，風向制御も必要なしで，風切り音が小さく低騒音型であるなどの特徴をもつ。
【００１７】
太陽光発電装置として，多数のソーラーセルからなる太陽電池モジュールを用いることができる。ソーラーセルは，通常，屋外に設置される。
【００１８】
蓄電装置として，蓄電池があげられる。蓄電池として，公知の蓄電池を用いることができる。本発明において好ましい蓄電池として，満充電状態から放電をして一定放電後，再充電を行う事を繰り返す用途専用に製作されるサイクル用蓄電池が望ましい。その種類には，ナトリウム硫黄電池や鉛蓄電池などがあげられるが，特にナトリウム硫黄電池にくらべ寿命が短いものの，その電気的性能に優れ，コンパクトで安価な鉛蓄電池が望ましい。その中でも中の液体が漏れないよう安全設計されているシール形鉛蓄電池が望ましい。また，蓄電池の端子電圧は６Ｖ,１２Ｖ,２４Ｖ,４８Ｖなどがあるが，１ｋＷ以上の電力負荷がある場合については，その電圧が交流１００Ｖであっても，蓄電池の端子電圧を２４Ｖや４８Ｖのものを使用することによって，インバータまでの配線に流れる電流値や配線などの抵抗を小さくし，安全性や省エネルギー性を高めることが望ましい。
【００１９】
家畜舎(2)は，家畜が飼育される建物である。家畜舎の家畜として，乳牛，肉牛，豚，鶏，鳩，鹿，馬，又はウサギなどがあげられる。これらの中では，乳牛が好ましい。家畜舎(2)は，公知の家畜舎であればよい。
【００２０】
配管(3)は，倉庫(1)と家畜舎(2)とを連結するための管である。配管が長いと，それだけ外気との熱交換の機会が多くなり冷却効率が下がるので，短い方が好ましい。配管の長さとして，１０ｃｍ〜１００ｍがあげられ，１ｍ〜１００ｍが好ましく，１０ｍ〜１００ｍがより好ましい。配管はできるだけ断熱効率の高いものが好ましいので，たとえば，塩化ビニル製の配管であることが好ましい。また，前記した倉庫と同様の断熱処理が施されていてもよい。配管の太さは公知のものを適宜利用すればよく，例えば直径が２ｃｍ〜５０ｃｍのものを適宜利用でき，好ましくは１０ｃｍ〜５０ｃｍである。なお，配管の先端(11)は，先細とされていても，中空円柱状とされていてもよく，先端の穴の直径が２ｍｍ〜１０ｃｍ，好ましくは５ｍｍ〜５ｃｍ，より好ましくは１ｃｍ〜５ｃｍとされていればよい。そして，そのような先端部は，家畜一頭あたり，０．５箇所〜１０箇所，好ましくは１箇所〜５箇所，更に好ましくは２箇所又は３箇所設けられる。なお，ひとつの配管から複数のノズルが分枝されていてもよい。
【００２１】
配管(3)は，好ましくは，家畜舎内まで延長されており，前記配管(3)の先端は，家畜が餌を食べる位置（えさ場又は，家畜が餌を食べる際に，体に相当する位置）に向けられる。また，家畜が休憩する位置に向けられていてもよい。
【００２２】
送風機構(4)は，前記配管(3)を通して前記家畜舎(2)へ風を送るため，又は外気を前記倉庫へ入れるための機構である。たとえば，送風機構(4)は，家畜舎を冷却するため，制御部の制御指令に基づいて，動作を行い，配管(3)を通して前記家畜舎(2)へ風を送る。一方，送風機構(4)は，寒冷期に，冷気を倉庫内へ入れて蓄熱材を効果的に冷却できるようにしてもよい。なお，送風機などの送風機構(4)は，それ自体が発熱する。また，送風する全ての空気を倉庫内に導入すると冷気の温度を調整しにくくなる。したがって，送風機構は，倉庫内ではなく，配管(3)部に設けることが好ましく，外気導入配管(13)の下流側に設けることが更に好ましい。
【００２３】
送風機構(4)として，たとえば，公知の扇風機，公知の送風機を適宜用いることができる。送風機構(4)による送風力は，たとえば，先端からの吹き出し速度として，５ｍ／ｓ〜５０ｍ／ｓがあげられ，５ｍ／ｓ〜２０ｍ／ｓでもよく，５ｍ／ｓ〜１０ｍ／ｓでもよい。なお，送風機構(4)は，そのスイッチのＯＮ／ＯＦＦ，又は送風力が，後述する制御機構により制御されるものが好ましい。なお，倉庫は牛舎に冷風を送るための配管により牛舎と連結されているが，冷風を送る必要がない場合は，牛舎との空気的な接続を遮断するための弁（バルブなど）(12)が設けられることが好ましい。そのような弁があるので，倉庫内の断熱性が高まることとなる。
【００２４】
温度計(5)は，前記家畜舎内の温度を計測するためのものである。したがって，温度計(5)は，通常，家畜舎の内部（例えば，所定の壁面など）に設置される。ただし，家畜舎内の温度は，外気温と密接に関連するので，温度計は家畜舎の外に設けられていてもよい。なお，本発明において温度計(5)は，後述する制御機構と電気的に接続されており，温度計(5)が測定した温度情報は，適宜制御機構へと伝えられるようにされている。
【００２５】
制御機構(6)は，送風機構(4)および温度計(5)と電気信号の授受ができるように接続され，温度計(5)が計測した温度が設定温度以上になった場合に，前記送風機構(4)が送風を行うように制御するものである。
【００２６】
制御機構(6)として，公知のコンピュータを適宜用いることができる。図２は，上記の制御を行うためのコンピュータのブロック図である。図２に示されるように，コンピュータ100は，ＣＰＵ101，メモリ102，Ｉ／Ｏ（インプットアウトプット）103，グラフィクスデバイス104及びディスプレイ105を具備する。そして，ＣＰＵ101，メモリ102，Ｉ／Ｏ103，グラフィクスデバイス104，及びディスプレイ105は，バス106に接続され，相互にデータ転送を行うことができるようにされている。外部の入出力装置とは，たとえば，Ｉ／Ｏなどのインターフェイスを介して接続される。そして，メモリ102は，作業領域や一時的に情報を記憶するメモリとともに，メインメモリを有する記憶部として機能する。
【００２７】
このコンピュータは，入力装置から入力された温度情報と，しきい値とを比較して，温度がしきい値以上である場合に，送風機構を動作させる指令を出力装置から出力するようにしてもよい。具体的には，メモリにしきい値を記憶させておき；コンピュータを入力装置から入力された温度情報としきい値とを比較する手段と，温度がしきい値以上である場合に，送風機構を動作させる指令を出力装置から出力させる手段として機能させる制御プログラムをメインメモリに格納しておく。そして，温度計で測定された温度情報が，入力装置から入力された場合，その入力情報を受取ったＣＰＵは，メインメモリに格納される制御プログラムを読み出して，その制御プログラムの指令に従って，メモリからしきい値情報を読み出し，メモリを適宜作業領域としつつ，受取った温度としきい値とを比較する演算を行う。そして，温度がしきい値以上である場合に，送風機構を動作させる指令を出力装置から出力する。
【００２８】
このコンピュータには，温度に応じて複数のフラグが設けられており，入力された温度情報に従って，適宜フラグを読み出し，そのフラグに応じた送風レベルの送風を行うように，送風機構へと指令を出すようにしても良い。
【００２９】
[利用態様]
次に利用態様について説明する。本発明の家畜舎の冷却方法は，倉庫(1)と，家畜舎(2)と，前記倉庫(1)と前記家畜舎(2)とを連結する配管(3)と，前記配管(3)を通して前記家畜舎(2)へ風を送るため，又は外気を前記倉庫へ入れるための送風機構(4)，および倉庫内部に蓄熱材を具備し，前記家畜舎(2)は，前記家畜舎内の温度を計測するための温度計(5)を具備し；更に，前記送風機構(4)および前記温度計(5)と電気信号の授受ができるように接続された制御機構(6)を具備し，前記制御機構(6)は，前記温度計(5)が計測した温度が設定温度以上になった場合に，前記送風機構(4)が送風を行うように制御する家畜舎冷却システムを用い，冬期間に，寒冷外気を倉庫(1)内に導入し，前記蓄熱材を冷却し，夏期間に，前記制御機構の制御のもとに，前記送風機構を動作させ，冷却された蓄熱材による倉庫(1)内の冷気を前記家畜舎(2)内に送風することにより，家畜舎内を冷却する家畜舎の冷却方法である。
【００３０】
前記蓄熱材は，複数の容器に入れられており，冬期間に，「寒冷外気を倉庫(1)内に導入し，前記蓄熱材を冷却」する代わりに，「寒冷外気を倉庫(1)内に導入し，前記蓄熱材を冷却するともに，前記蓄熱材が入れられる複数の容器のすき間に雪が充填されるか，又は前記複数の容器を覆うように雪が被せられる」ものは，本発明の好ましい利用態様である。
【産業上の利用可能性】
【００３１】
本発明は，特に寒冷地における夏場の家畜舎冷却装置および冷却方法として，畜産業や，畜産業に関する建設業などの分野で好適に利用されうる。
【図面の簡単な説明】
【００３２】
【図１】図１は，本発明の家畜舎冷却システムのブロック図である。
【図２】図２は，本発明の制御機構としてのコンピュータのブロック図である。
【符号の説明】
【００３３】
１  倉庫
２  家畜舎
３  配管  
４  送風機構
５  温度計
６  制御機構
７  風力発電装置
８  太陽光発電装置
１１  ノズル（先端）
１２  弁
１３  外気ダクト
１００  コンピュータ
１０１  ＣＰＵ
１０２  メモリ
１０３  Ｉ／Ｏ（インプットアウトプット：インターフェイス）
１０４  グラフィクスデバイス
１０５  ディスプレイ
【図１】
2007183006.tif 000003
【図２】
2007183006.tif 000004